(57)【特許請求の範囲】
【請求項１】
内部に内容物が収容される筒状の胴部と、
該胴部の下端開口部を閉塞し、かつ当該胴部の内方に張り出され、内部に薬剤が保持されるカップ状の底部と、
該底部の上端と前記胴部の下端とを連結し、該胴部の下端から前記底部の上端に向かうに従い漸次縮径された連結筒部と、
該連結筒部と、前記胴部の下端及び前記底部の上端と、を各別に連結する第１折曲部及び第２折曲部と、
を備え、
前記底部は、前記第２折曲部を折曲変形させつつ、前記連結筒部を前記第１折曲部周りに前記胴部の内方に向けて回動させ上下反転させることにより、前記胴部の内方に張り出され、
前記底部の上端の内径は、該底部の内部に収容される前記薬剤の、該底部の径方向における最大長さ以下とされ、
前記第１折曲部、前記胴部における前記第１折曲部との接続部分、及び前記連結筒部における前記第１折曲部との接続部分のうちの少なくとも１つが、接地面上に載置されることにより前記胴部を自立させる接地部となっていることを特徴とする薬剤保持機能付き容器。
【請求項２】
前記底部を前記胴部の内方に張り出させる前の状態において、前記底部の上端の内径が、前記薬剤の該底部の径方向における最大長さ以下となっていることを特徴とする請求項１に記載の薬剤保持機能付き容器。
【発明の詳細な説明】
【技術分野】
【０００１】
本発明は、薬剤保持機能付き容器に関する。
【背景技術】
【０００２】
従来から、例えば下記特許文献１に示されるような、内容物とともに乾燥剤等の薬剤が収容される容器が知られている。
【先行技術文献】
【特許文献】
【０００３】
【特許文献１】特開２００２−１９３２９９号公報
【発明の概要】
【発明が解決しようとする課題】
【０００４】
しかしながら、前記従来の容器では、薬剤の容器内での位置が安定せず、例えば内容物を取り出す際に薬剤が邪魔になる等のおそれがあった。
【０００５】
本発明は、かかる事情に鑑みてなされたものであり、薬剤の容器内での位置を安定させることのできる薬剤保持機能付き容器を提供することを目的とする。
【課題を解決するための手段】
【０００６】
上記課題の解決手段として、本発明は、内部に内容物が収容される筒状の胴部と、該胴部の下端開口部を閉塞し、かつ当該胴部の内方に張り出され、内部に薬剤が保持されるカップ状の底部と、該底部の上端と前記胴部の下端とを連結し、該胴部の下端から前記底部の上端に向かうに従い漸次縮径された連結筒部と、該連結筒部と、前記胴部の下端及び前記底部の上端と、を各別に連結する第１折曲部及び第２折曲部と、を備え、前記底部は、前記第２折曲部を折曲変形させつつ、前記連結筒部を前記第１折曲部周りに前記胴部の内方に向けて回動させ上下反転させることにより、前記胴部の内方に張り出され、前記底部の上端の内径は、該底部の内部に収容される前記薬剤の、該底部の径方向における最大長さ以下とされ、前記第１折曲部、前記胴部における前記第１折曲部との接続部分、及び前記連結筒部における前記第１折曲部との接続部分のうちの少なくとも１つが、接地面上に載置されることにより前記胴部を自立させる接地部となっていることを特徴とする薬剤保持機能付き容器を提供する。
【０００７】
この発明に係る容器では、底部の上端の内径が薬剤の底部の径方向における最大長さ以下となっているので、薬剤が底部から胴部内に進入するのを抑制することが可能になり、薬剤の容器内での位置を安定させることができる。
また、接地面上に載置されることにより、胴部を自立させる接地部が、胴部の内方に位置して薬剤保持機能を奏する底部ではなく、又は底部に加えて、この底部より外径の大きい、第１折曲部、胴部における第１折曲部との接続部分、及び連結筒部における第１折曲部との接続部分のうちの少なくとも１つとなっているので、接地安定性が良好に確保される。
【０００８】
また、上記薬剤保持機能付き容器では、前記底部を前記胴部の内方に張り出させる前の状態において、前記底部の上端の内径が、前記薬剤の該底部の径方向における最大長さ以下とすることが好ましい。
【０００９】
この場合、底部を、内部に薬剤を配置した状態で、胴部の内方に向けて押し込んで張り出させたときに、薬剤の底部に対する姿勢が崩れたり、薬剤が胴部の内部に進入したりするのを抑制することができるとともに、底部を前述のように押し込むときに例えば当該容器の姿勢を上下反転させておいても、薬剤が底部から落下するのを抑制することも可能になる。
【発明の効果】
【００１０】
本発明によれば、薬剤の容器内での位置を安定させることができる。
【図面の簡単な説明】
【００１１】
【図１】本発明の一実施形態に係る薬剤保持機能付き容器の縦断面図である。
【図２】上記薬剤保持機能付き容器の底部を胴部の内方に張り出させる前の状態の当該薬剤保持機能付き容器の縦断面図である。
【図３】上記薬剤保持機能付き容器に内容物を収容した状態の当該薬剤保持機能付き容器の縦断面図である。
【発明を実施するための形態】
【００１２】
以下、図面を参照し、本発明の一実施形態に係る薬剤保持機能付き容器１について説明する。
【００１３】
図１に示す本実施形態に係る薬剤保持機能付き容器１は、内部に内容物が収容される筒状の胴部２と、胴部２の下端開口部３を閉塞し、かつ胴部２の内方に張り出され、内部に薬剤２０が保持されるカップ状の底部４と、底部４の上端と胴部２の下端とを連結し、胴部２の下端から底部４の上端に向かうに従い漸次縮径された連結筒部５と、連結筒部５と、胴部２の下端及び底部４の上端と、を各別に連結する第１折曲部６及び第２折曲部７と、を備えている。
【００１４】
なお、本実施形態では、図中Ｏで示す胴部２の中心軸を容器軸といい、容器軸Ｏに沿う方向を上下方向と規定し、上下方向に沿った底部４側を下側、その反対側を上側と規定している。また、容器軸Ｏに直交する方向を径方向といい、容器軸Ｏの周回方向を周方向という。
【００１５】
この薬剤保持機能付き容器１（以下、容器１という）は、合成樹脂等からなり、ブロー成形によって全体が一体的に形成されている。底部４の上端は胴部２の下端よりも上方に位置しており、第１折曲部６及び第２折曲部７は、胴部２、底部４、及び連結筒部５に対して薄肉に形成されている。第１折曲部６は、下方に向けて突となるように折り曲げられ、第２折曲部７は、上方に向けて突となるように折り曲げられている。
【００１６】
胴部２の上端には、胴部２よりも小径の口部８が立設され、この口部８から内容物や薬剤２０が収容される。口部８の外周面には雄ねじ部９が形成され、この雄ねじ部９にキャップＣ（図３参照）が螺着され、口部８が閉塞されるようになっている。容器１は、典型的には錠剤や顆粒、又は溶液等を内容物として使用することが可能であり、内容物を錠剤や顆粒とする場合には、上記薬剤２０は、典型的には乾燥剤とされる。また、内容物を溶液とする場合は、上記薬剤２０は、例えば農薬等である。
【００１７】
胴部２の下部には、当該胴部２の下端から上方に向かうに従い漸次縮径する第１テーパ部１０及び該第１テーパ部１０の上端から上方に向かうに従い漸次拡径する第２テーパ部１１を備えるくびれ部１２が形成されている。
【００１８】
第１テーパ部１０の下端、すなわち胴部２の下端に第１折曲部６を介して連結する連結筒部５は、第１折曲部６を起点にして上下反転された状態で保持されており、具体的には、図２に示されるように、連結筒部５が反転される前の状態では、連結筒部５は、胴部２に対して底部４を下方に突出させる突出位置で保持され、この状態から第１折曲部６を起点にして上方に向けて反転、すなわち第１折曲部６周りに径方向の内方に向けて回動され上下反転されることで、図１に示される胴部２に対して底部４を上方に陥没させた、すなわち上方に張り出した陥没位置に保持されている。
【００１９】
この陥没位置では連結筒部５の内面は、第１テーパ部１０の内面に密接又は近接配置されている。また、第１折曲部６は、図２に示されるように、折り曲げを容易に可能とするべく、胴部２及び連結筒部５の内面から外面側に凹むようにして薄肉に形成されている。
【００２０】
なお、第１折曲部６を起点にして径方向の内方に連結筒部５を反転する際、くびれ部１２における第１テーパ部１０と第２テーパ部１１との連結部を狭角側に折り曲げて、胴部２の下端を拡径させてもよい。この場合、連結筒部５を容易に反転させることができる。
【００２１】
底部４は、底壁部１３と、底壁部１３の外周縁から立設された周壁部１４と、を備えており、周壁部１４は、縦断面で径方向の外側に膨出する弧状に形成され、周壁部１４の上端の内径を絞り、底部４内に配置された薬剤２０が引っかかり易くなっている。そして底部４の周壁部１４の上端が第２折曲部７を介して連結筒部５の端部に連結されている。なお、図２に示されるように、第２折曲部７は、折り曲げを容易に可能とするべく、連結筒部５及び底部４の外面から内面側に凹むようにして薄肉に形成されている。
【００２２】
ここで、底壁部１３の上面に薬剤２０が載置されており、連結筒部５が陥没位置にあるときには、底部４における周壁部１４の上端の内径Ｒ１が、底部４の内部に収容された上記薬剤２０の該底部４の径方向における最大長さＲ２以下とされている。なお、最大長さＲ２は、例えば薬剤２０が円形のものであればその外径を意味し、矩形のものであれば対角線の距離を意味する。すなわち、周壁部１４の上端の内径Ｒ１は、この上端が底部４に収容された薬剤２０が底部４から胴部２側に進入しないように、薬剤２０の端部を係止する寸法に設定されていればよい。
【００２３】
また、本実施形態では、図１に示されるように、底部４の径方向の外側に位置して、この底部４よりも大径の第１折曲部６が、接地面Ｄ上に載置されることにより胴部２を自立させる接地部として機能している。なお、図示の例では、当該接地部よりも上方に底壁部１３の下面が位置している。
【００２４】
図３は、上記容器１に内容物を収容し、キャップＣで口部８を閉塞した状態を示しており、以下、図１〜図３を参照し、本実施形態に係る上記容器１における内容物の充填方法について説明する。内容物を充填する際は、先ず、図２に示される連結筒部５が上記突出位置である反転変形される前の状態、すなわち底部４を胴部２の内方に張り出させる前の状態で、薬剤２０を底部４内に保持する。この際、底部４の上端（周壁部１４の上端）を乗り越えるようにして薬剤２０を収容するようにする。なお、口部８の内径は、薬剤２０の最大長さＲ２と同等になっている。
【００２５】
そして、薬剤２０を保持後、本実施形態では、口部８が下方を向くように容器１を上下反転させた逆立ち姿勢にした状態で、上方から底部４を胴部２に対して内方に押し込む。これにより、底部４が、第２折曲部７を折曲変形させつつ、連結筒部５を第１折曲部６周りに胴部２の内方に向けて回動させ上下反転させることにより、底部４が胴部２の内方に張り出される。
ここで、図２に示されるように、本実施形態では、連結筒部５が反転される前の状態においても、底部４の上端の内径Ｒ１が、薬剤２０の底部４の径方向における最大長さＲ２以下となっている。このため、容器１逆立ち姿勢にしても、さらにこの状態で上方から底部４を胴部２に対して内方に押し込んでも、薬剤２０が底部４内に保持され易くなっている。さらに、連結筒部５が反転される前の状態においても、底部４の上端の内径Ｒ１が、薬剤２０の底部４の径方向における最大長さＲ２以下となっているものの、上述したように、第２折曲部７が連結筒部５及び底部４の外面から内面側に凹むように形成されていることから、第２折曲部７及び底部４の周壁部１４の上端は拡径し易くなっている。このため、本実施形態では、上述した連結筒部５の上下反転前における薬剤２０の底部４への挿入をスムーズに行うことが可能になっている。
【００２６】
その後、口部８が上方を向くように容器１を正立姿勢にし、この際、第１折曲部６を、接地面Ｄ上に載置すると、容器１が自立する。そして、口部８から内容物を収容し、図３に示されるようにヒンジ付きのキャップＣを口部８に螺着して、口部８を閉塞させることで、内容物の充填を完了させる。
【００２７】
以上に説明したような本実施形態の薬剤保持機能付き容器１では、底部４の上端の内径Ｒ１が薬剤２０の底部４の径方向における最大長さＲ２以下となっているので、薬剤２０が底部４から胴部２内に進入するのを抑制することが可能になり、薬剤２０の容器内での位置を安定させることができる。具体的に、図３に示されるように、胴部２内に錠剤が収容された場合には、意図せずに薬剤２０が底部４から胴部２に進入し、内容物である錠剤を取り出す際に薬剤２０が邪魔になるのを防ぐことができる。
また、接地面Ｄ上に載置されることにより、胴部２を自立させる接地部が、胴部２の内方に位置して薬剤保持機能を奏する底部４ではなく、この底部４より外径の大きい、第１折曲部６となっているので、接地安定性が良好に確保される。
【００２８】
また、底部４を胴部２の内方に張り出させる前の状態においても、底部４の上端の内径Ｒ１が、薬剤２０の底部４の径方向における最大長さＲ２以下となっているため、底部４を、内部に薬剤２０を配置した状態で、胴部２の内方に向けて押し込んで張り出させたときに、薬剤２０の底部４に対する姿勢が崩れたり、薬剤２０が胴部２の内部に進入したりするのを抑制することができるとともに、底部４を前述のように押し込むときに例えば当該容器１の姿勢を上下反転させておいても、薬剤２０が底部４から落下するのを抑制することも可能になる。
【００２９】
以上、本発明の実施形態について図面を参照して詳述したが、具体的な構成はこの実施形態に限られるものではなく、本発明の要旨を逸脱しない範囲の設計変更等も含まれる。
【００３０】
例えば、上記実施形態では、接地面Ｄ上に載置されることにより胴部２を自立させる接地部が第１折曲部６であると説明したが、第１折曲部６の形状や底部４の押し込み時の加工精度によっては、胴部２における第１折曲部６との接続部分、及び連結筒部５における第１折曲部６との接続部分が接地面Ｄに接地する場合もあり得る。そして、これらの部位が接地面Ｄ上に載置された場合にあっても、底部４よりも外径が大きくなる部位であるため、安定した自立性は確保される。したがって、本発明では、第１折曲部６、胴部２における第１折曲部６との接続部分、及び連結筒部５における第１折曲部６との接続部分のうちの少なくとも１つが接地部となっていればよい。
【００３１】
そして、上記実施形態では、底部４の底壁部１３が接地面に接地しない構成を説明したが、第１折曲部６、胴部２における第１折曲部６との接続部分、及び連結筒部５における第１折曲部６との接続部分のうちの少なくとも１つで構成される接地部に加え、底壁部１３の下面を接地面に接地させる構成であってもよい。
【００３２】
また、上記実施形態で説明した充填方法では、連結筒部５を反転変形させる際に、底部４が上方に位置するように容器１を配置して上方から底部４を押し込むようにすることを説明したが、この際の容器１の向きはどのような向きであっても構わない。
また、上記実施形態では、容器１に錠剤を収容することを説明したが、以下では、この容器１において薬剤２０を農薬として底部４の内部に保持した場合の使用例を説明する。
農薬を底部４に保持した場合の典型的な使用の態様としては、農薬を底部４に保持しておき、農薬を使用する際に容器内に水等の溶液を封入し、農薬を溶液に溶かし込んで使用する等の態様が挙げられる。このような場合に、本発明の実施形態の容器１では、容器内に水等の溶液を封入する前の流通段階等で、農薬である薬剤２０が底部４から胴部２内に進入するのを抑制することが可能になり、薬剤２０の容器内での位置を安定させることができるので、例えば農薬が流通段階等で意図せずに底部４から胴部２に進入するのを防ぐことができる。
【符号の説明】
【００３３】
１  薬剤保持機能付き容器
２  胴部
３  下端開口部
４  底部
５  連結筒部
６  第１折曲部
７  第２折曲部
２０  薬剤
【図１】
0005759913.tif 000002
【図２】
0005759913.tif 000003
【図３】
0005759913.tif 000004